(57)【要約】      （修正有）【課題】制御盤内の機器と外気との接触を遮断しつつ筐体の小型化の要求や筐体に内蔵される機器の増加にも対応して十分な放熱、冷却を行うことができる制御盤を提供する。【解決手段】筐体の天井部３ｂに熱交換器３を備えるとともに開閉扉の筐体内側にダクト５を備え、熱交換器３に外気を取り込む第１のファン３ｃと、筐体内の内気を筐体後部を通って熱交換器３へと送る第２のファン７と、熱交換器３を通過した内気を筐体前部へ下向きに送る第３のファン３ｄとを備え、第３のファン３ｄの下方にてダクト５に配設されて内気をダクト５内へ吸気する第４のファン５ａと、ダクト５の第４のファン５ａより下方に配設されてダクト５内から筐体２内へ排気する第５のファン５ｂをさらに備える。【選択図】図４
2012190876.tif 000002
【特許請求の範囲】
【請求項１】
電力消費に伴い発熱するアンプを含む機器を格納し、開閉扉を閉じた状態にて略密閉状態となる筐体を備えた制御盤であって、
前記筐体の天井部に熱交換器を備えるとともに前記開閉扉の筐体内側にダクトを備え、
前記熱交換器に外気を取り込む第１のファンと、
前記筐体内の内気を前記筐体後部を通って前記熱交換器へと送る第２のファンと、
前記熱交換器を通過した内気を前記筐体前部へ下向きに送る第３のファンとを備え、
前記第３のファンの下方にて前記ダクトに配設されて内気を前記ダクト内へ吸気する第４のファンと、
前記ダクトの前記第４のファンより下方に配設されて前記ダクト内から筐体内へ排気する第５のファンをさらに備えることを特徴とした制御盤。
【請求項２】
前記アンプは前記筐体下部に配設され、前記第５のファンは前記アンプの前方に配設されて前記アンプへ向けて排気することを特徴とする請求項１記載の制御盤。
【請求項３】
前記アンプに併設されて前記筐体内とは隔離された空間を備え、前記空間に外気を取り込む第６のファンと、前記空間内の外気を排気する第７のファンを共に前記筐体背面に備えることを特徴とする請求項１記載の制御盤。
【請求項４】
前記第６のファンと前記第７のファンは上下方向に並んで配設され、前記第６のファンは前記第７のファンの下方に配設されることを特徴とする請求項３記載の制御盤。
【請求項５】
前記空間に、前記アンプに取り付けられたヒートシンクと前記アンプの回生抵抗の少なくとも一方を格納することを特徴とする請求項３記載の制御盤。
【請求項６】
前記アンプを複数備え、前記第５のファンは前記複数の各アンプの前方にそれぞれ１個または複数個配設されたことを特徴とする請求項１記載の制御盤。
【請求項７】
前記アンプを複数備え、前記第６のファンと第７のファンは前記複数の各アンプの後方にそれぞれ１個または複数個配設されたことを特徴とする請求項３記載の制御盤。
【請求項８】
複数の前記アンプを上下に積み重ねて配設し、前記各アンプに関する前記空間を一体化して前記筐体内と隔離したことを特徴とする請求項３記載の制御盤。
【請求項９】
前記第１乃至第４の各ファンをそれぞれ複数備えたことを特徴とする請求項１記載の制御盤。
【請求項１０】
前記第１のファンは下方向へ排気するよう配設されたことを特徴とする請求項１記載の制御盤。
【発明の詳細な説明】
【技術分野】
【０００１】
本発明は産業用ロボット等の制御盤に関し、特に発熱の大きい機器を内蔵した制御盤の冷却のための構成に関する。
【背景技術】
【０００２】
産業用ロボット等の制御盤には、電源部やサーボアンプに使用されているパワー半導体  素子や抵抗器、制御用基板のＣＰＵなど発熱の大きい機器や素子が内蔵されており、これらから発せられる熱を盤外に放出して、盤内の温度上昇を抑制する冷却構造を備えているのが一般的である。
こうした冷却構造においては、制御盤周囲の粉塵等が盤内の電子機器類へ接触することがないよう、熱交換器を用いて外気を電子機器類に直接当てずに放熱することも行われている。
【０００３】
一方で産業用ロボット等の制御盤については、設置面積の縮小のために筐体の小型化や複数のロボットの制御を１台の制御盤でまとめて行うワン・コントローラ化の要求がある。  筐体を小型化すると制御盤全体の放熱面積が減少する上に熱源である内蔵機器が密集することになり、冷却効率が低下する。またワン・コントローラ化によっても、制御盤複数台分の機器が１つの筐体に収納されることで発熱量が増大するため、同様に冷却効率が低下する。
こうした筐体の小型化への要求に対応しつつ放熱を行うための従来技術として特許文献１や特許文献２のようなものがあった。
【先行技術文献】
【特許文献】
【０００４】
【特許文献１】特開２００１−２４５４０８号公報
【特許文献２】特許第４３２４３１２号公報
【発明の概要】
【発明が解決しようとする課題】
【０００５】
しかしながら特許文献１や特許文献２による従来の制御盤では、隔壁によって筐体内部を上下に区分けする構造となっており、制御盤のドアを閉めた状態では区分けされた空間内でしか空気が循環しない。
筐体が小型化されると、それに伴い区分けされた空間も小さくなるため、発熱量の大きい機器が小さな空間内に設置されることになる。その結果、発熱量に対して放熱が十分に行えずに熱暴走が発生したり、熱によって筐体内部の電子部品の劣化が早まったりするという問題があった。
【０００６】
本発明はこのような問題点に鑑みてなされたものであり、制御盤内の機器と外気との接触を遮断しつつ筐体の小型化の要求や筐体に内蔵される機器の増加にも対応して十分な放熱、冷却を行うことができる制御盤を提供することを目的とする。
【課題を解決するための手段】
【０００７】
上記問題を解決するため、本発明は、次のようにしたのである。
請求項１に記載の発明は、電力消費に伴い発熱するアンプを含む機器を格納し、開閉扉を閉じた状態にて略密閉状態となる筐体を備えた制御盤であって、前記筐体の天井部に熱交換器を備えるとともに前記開閉扉の筐体内側にダクトを備え、前記熱交換器に外気を取り込む第１のファンと、前記筐体内の内気を前記筐体後部を通って前記熱交換器へと送る第２のファンと、前記熱交換器を通過した内気を前記筐体前部へ下向きに送る第３のファンとを備え、前記第３のファンの下方にて前記ダクトに配設されて内気を前記ダクト内へ吸気する第４のファンと、前記ダクトの前記第４のファンより下方に配設されて前記ダクト内から筐体内へ排気する第５のファンをさらに備えることを特徴とする。
【０００８】
また請求項２に記載の発明は、前記アンプは前記筐体下部に配設され、前記第５のファンは前記アンプの前方に配設されて前記アンプへ向けて排気することを特徴とする。
【０００９】
請求項３に記載の発明は、前記アンプに併設されて前記筐体内とは隔離された空間を備え、前記空間に外気を取り込む第６のファンと、前記空間内の外気を排気する第７のファンを共に前記筐体背面に備えることを特徴とする。
【００１０】
請求項４に記載の発明は、前記第６のファンと前記第７のファンは上下方向に並んで配設され、前記第６のファンは前記第７のファンの下方に配設されることを特徴とする。
【００１１】
請求項５に記載の発明は、前記空間に、前記アンプに取り付けられたヒートシンクと前記アンプの回生抵抗の少なくとも一方を格納することを特徴とする。
【００１２】
請求項６に記載の発明は、前記アンプを複数備え、前記第５のファンは前記複数の各アンプの前方にそれぞれ１個または複数個配設されたことを特徴とする。
【００１３】
請求項７に記載の発明は、前記アンプを複数備え、前記第６のファンと第７のファンは前記複数の各アンプの後方にそれぞれ１個または複数個配設されたことを特徴とする。
【００１４】
請求項８に記載の発明は、複数の前記アンプを上下に積み重ねて配設し、前記各アンプに関する前記空間を一体化して前記筐体内と隔離したことを特徴とする。
【００１５】
請求項９に記載の発明は、前記第１乃至第４の各ファンをそれぞれ複数備えたことを特徴とする。
【００１６】
請求項１０に記載の発明は、前記第１のファンは下方向へ排気するよう配設されたことを特徴とする。
【発明の効果】
【００１７】
本発明によると、制御盤内の機器を外気から隔離しつつ、放熱性の確保と筐体の小型化とを両立することができる。また複数の制御盤の機器を１つの筐体に収納した場合にも十分な冷却能力を獲得できる。
【図面の簡単な説明】
【００１８】
【図１】本発明の一実施例による制御盤の斜視図である。
【図２】図１の制御盤のドアを開放した状態での制御盤の正面図である。
【図３】図１の制御盤のドア裏面の正面図である。
【図４】図２のＡ−Ａでの側断面図である。
【図５】図２のＣ−Ｃでの断面図である。
【図６】図２のＢ−Ｂでの側断面図である。
【図７】図１の制御盤の背面図である。
【図８】図２のＤ−Ｄでの断面図である。
【発明を実施するための形態】
【００１９】
以下、本発明の具体的実施例について、図に基づいて説明する。
図１はロボット制御盤の全体の外観を示す斜視図である。図示していないが、制御盤はケーブルによってロボットと接続される。ケーブルにはロボットを駆動、制御するための各種電源線、信号線が含まれている。
またロボットの動作プログラムの教示や各種操作、ロボットの状態確認の際に用いる教示装置ともケーブルによって接続可能となっている。図１では教示装置も省略して描いている。
【００２０】
制御盤１は、前面部が開口した直方体状の筐体２と、筐体２の上部に設けられた熱交換部３と、筐体２の開口部分を閉じるためのドア４とからなる。
ドア４の側面はヒンジ４ａによって筐体開口の側面と連結されることで開閉可能に構成されている。また後述するが、ドア４はその一部に中空構造のダクトを備えるよう構成されている。ドア４は、ドアを閉じた状態でロックするためのハンドル４ｂ、ロボットを非常停止させるための非常停止スイッチなどを備えた操作パネル４ｃを備える。さらに教示装置を接続するためのコネクタ４ｄを備える。
ハンドル４ｂによってドア４をロックすることで筐体内は外気から遮断された状態となる。またハンドル４ｂは筐体内部のブレーカと連動しており、ハンドルを回してドアをロックした状態でなければブレーカが解除されず制御盤の電源を投入することができないようになっている。
【００２１】
図２はドア４を開放した状態での筐体内部の正面図である。ただし、熱交換部３については説明のために本来であれば見えないファン３ｃ、３ｄなどが見えるように描いている。
制御盤の内部は、大まかに分けて上下に配置された３つの部位によって構成されている。上部には制御基板が納められたラックがあり、中部には電源ユニット、下部にはロボットに内蔵されたサーボモータを駆動するサーボアンプがそれぞれ収納されている。小型された筐体内であっても出来るだけ内部の熱容量を確保することを狙いとして、各部を区分けするような仕切り板のようなものは設けられていない。また前述のブレーカは作業者がハンドル４ｂを操作しやすい高さを考慮してラック部に当たる位置に配設されている。
【００２２】
図ではサーボアンプが３台ずつ２段に積み重なるように計６台内蔵されており、各サーボアンプは筐体の奥行き方向に長い略直方体状の形状を有している。近年は筐体の小型化、ワン・コントローラ化の要求に応え、１台で複数台のサーボモータを駆動させることができるサーボアンプが用いられることが多い。本実施例のサーボアンプでは１台につき最大６台のサーボモータを駆動できる。一般的な産業用ロボットは１台につき６つの軸を備えるものが多いので、１つの制御盤で最大６台のロボットを同時に制御することができる。  もちろん複数台のロボットを制御する必要がない場合であればサーボアンプの個数は５以下でもよい。
なお、実際の制御盤では制御基板や電源ユニット、サーボアンプの間を接続するケーブルが配設されているが図ではそうしたケーブル類は省略して描いている。
【００２３】
図３はドア４の裏面（筐体側）の正面図である。ドア４は筐体内部側に張り出した中空構造のダクト５を備えており、複数のファンが取り付けられている。ファン５ａによって筐体内の空気をダクト５内に吸気し、ファン５ｂによってダクト５内の空気を筐体内へ排気するようになっている。図３ではファン５ａの数は２個となっているがこれは一例であって、１個であったり３個以上であったりしてもよい。
【００２４】
図４は、図２に示した制御盤のＡ−Ａでの側断面図であり、矢印により制御盤内部および熱交換部３の空気の流れを示している。白矢印は筐体内部で循環する内気の流れを示し、黒矢印は筐体外部から取り込まれた外気の流れを示す。
ドアに取り付けられたファン５ａはドア４を閉じた状態では電源ユニット部の前方に配置され、ファン５ｂは各サーボアンプの前方に配置されるようになっている。ファン５ａによってドア４内のダクト５の内部へ吸気された電源ユニット部付近の内気は、ダクト５内を通って筐体下部へと流れ、サーボアンプの前面に設けられたファン５ｂから各サーボアンプ６へと向けて排気される。
なお図３ではファン５ｂの数は各サーボアンプにつき１個の計６個となっているが、これは一例であって、サーボアンプへの排気を行うファンを各サーボアンプにつき複数個配設してもよい。
ファン５ｂにより各サーボアンプ６へ吹き付けられた内気はサーボアンプ部の上部かつ筐体の背面近くにあるファン７によって吸気されて筐体の後部を通って上昇し、筐体の天井部３ｂに達する。
【００２５】
筐体の上面には熱交換部３が設けられている。この熱交換器は筐体の上面に取り付けられたカバー部３ａと筐体内の天井部３ｂから構成される。
外気はファン３ｃによって筐体の前方から吸気され、後方へ排気される。この外気はカバー部３ａ内を通過するのみで、筐体内部に流れ込むことはない。ファン３ｃは横に倒した状態で設置され、吸気した外気を下方へ送る。こうすることでカバー部３ａの高さを抑えることができ、制御盤が工場内に設置された際に作業者の視界を遮ってしまうことを防止できる。
一方で筐体内部では、天井部３ｂに設けられたファン３ｄによって筐体後方から前方に向けて内気を送り、さらに下方へと送り出している。この天井部３ｂを通過する内気は、ファン７によって筐体上方へ送られた内気である。
ここで天井部３ｂの筒部内を通る内気の熱が、カバー部３ａ内を通過する外気へと移ることで内気が冷却される。
【００２６】
こうして熱交換により冷却された内気はファン３ｄによって下方へ送られ、ラック部と電源ユニット部を冷却する。さらにファン５ａによって扉のダクト５内へと吸気される。そして前述のようにファン５ｂによって各サーボアンプ６の前面へ排気され、サーボアンプ６を冷却する。
なお図２ではファン３ｃ、３ｄの数はそれぞれ２個となっているがこれは一例であって、それぞれ１個であったり３個以上であったりしてもよい。
【００２７】
本実施例におけるサーボアンプの冷却についてさらに詳細に説明する。
図２、図４に示したように本実施例ではサーボアンプは３台ずつ上下２段に積まれたように配置されている。
ドア裏面のファン５ｂは各サーボアンプの前方に計６つ配置され、それぞれサーボアンプへ向けて送風する。さらにサーボアンプ後方上部に配置されたファン７によって吸気することによりサーボアンプから発生する熱を上方へ集め、前述の熱交換部３により冷却を行う。図２に示した制御盤のＣ−Ｃでの断面図を図５に示す。図５では、ファン７は３列に配置されたサーボアンプ６に合わせて３つ設けられている。ファン７の数についても適宜変更可能である。
【００２８】
サーボアンプは発熱量が大きいため、内気による冷却に加え、さらに外気による冷却も行っている。各サーボアンプには側面の一方に放熱のためのヒートシンクが取り付けられており、このヒートシンクに外気を当てることにより冷却を行う。また各サーボアンプは回生抵抗を備えていることが一般的でありこれも発熱源となる。本実施例ではヒートシンクに加え、回生抵抗についても外気による冷却を行う。サーボアンプの発熱量が小さく、ファン５ｂによる冷却で十分な場合にはヒートシンク、回生抵抗のどちらか一方だけを外気で冷却するようにしてもよい。
【００２９】
外気によるサーボアンプの冷却について図６〜８を用いて説明する。図６は、図２に示した制御盤のＢ−Ｂでの側断面図であり、図７は制御盤の背面図である。また図８は図２に示した制御盤のＤ−Ｄでの断面図である。
ヒートシンク６ａおよび回生抵抗６ｂは正面から見て各サーボアンプの左側面にそれぞれ配置されている。また各サーボアンプは筐体内に設けられたラックに対し、前方から引き出し状に格納されるようにして設置されている。
ラックは各列のサーボアンプを仕切るよう構成されており、各サーボアンプをラックに格納することでラックの前面がサーボアンプの前面パネルによって塞がれ、ヒートシンク６ａと回生抵抗６ｂが収納される空間のみがファン８ａ、８ｂを介して外気とつながるようになる。
言い換えると、ヒートシンク６ａと回生抵抗６ｂは筐体内部から遮断された空間内に配置され、なおかつ上下に２つ重ねられたサーボアンプの左側面の空間は繋がっている。説明のため、この空間の大まかな配置を図６、図８に破線を用いて示す。上下に積み重ねたサーボアンプのヒートシンクと回生抵抗が収納される空間を連結することでこれらの冷却のための空間を広く取ることができ冷却性能の向上に寄与する。
なお全てのラックにサーボアンプを格納しない場合にはサーボアンプの前面パネルの代わりのパネルでラックを塞ぐことで外気が筐体内に侵入しないようにする。
【００３０】
図７に示すように筐体背面には１つのサーボアンプにつき２個ずつファンが設けられており、これらのうち下段のサーボアンプ用の６つのファンは外気を筐体内部へ吸い込み、上段のサーボアンプ用の６つのファンは筐体内部から外部への排気を行う。
上下に重ねられたサーボアンプのうち、下段のものについてはファン８ａによって吸気された外気がヒートシンク６ａおよび回生抵抗６ｂに当たることによって冷却される。下段のヒートシンク６ａ、回生抵抗６ｂを通過して熱せられた外気は、サーボアンプ６の前方部へ移動すると共に上昇して上段のサーボアンプ側面の空間へ到達する。
ファン８ｂは排気を行うのでサーボアンプの前方部から筐体の背面へ向かって空気の流れが発生する。この流れが上段のサーボアンプの前方部から後方にかけてヒートシンク６ａ、回生抵抗６ｂに当たって冷却を行い、筐体の外に排出される。
前述のようにヒートシンクと回生抵抗を冷却するための外気は筐体内部とは遮断されているので、外気がサーボアンプ側面の空間以外の筐体内に侵入することがない。
なお図６、７ではファン８ａ、８ｂの数はそれぞれ２個となっているがこれは一例であって、それぞれ１個であったり３個以上であったりしてもよい。
【００３１】
以上説明したように、本実施例によれば外気が筐体内部の機器の接触することなく冷却を行うことができ、工場ラインの雰囲気に含まれる粉塵や油滴、塗料ミスト等が制御盤内の電子機器へ悪影響を与えることがない。
さらに発熱の大きいサーボアンプについては内気と外気の双方により冷却を行うことで十分な廃熱、冷却機能を備え、なおかつ小型の制御盤を提供することが可能となる。
【符号の説明】
【００３２】
１  制御盤
２  筐体
３  熱交換部
３ａ  カバー
３ｂ  天井部
３ｃ  熱交換器用ファン（第１のファン）
３ｄ  熱交換器用ファン（第３のファン）
４  ドア
４ａ  ヒンジ
４ｂ  ハンドル
４ｃ  操作パネル
４ｄ  コネクタ
５  ダクト
５ａ  ダクト内吸気ファン（第４のファン）
５ｂ  ダクト外排気ファン（第５のファン）
６  サーボアンプ
６ａ  ヒートシンク
６ｂ  回生抵抗
７  ファン（第２のファン）
８ａ  吸気ファン（第６のファン）
８ｂ  排気ファン（第７のファン）
【図１】
2012190876.tif 000003
【図２】
2012190876.tif 000004
【図３】
2012190876.tif 000005
【図４】
2012190876.tif 000006
【図５】
2012190876.tif 000007
【図６】
2012190876.tif 000008
【図７】
2012190876.tif 000009
【図８】
2012190876.tif 000010